(57)【要約】  本発明は、空調システムの外に気流を分散させてそれを調整すべき筐体の周囲の空気と混合するための方法及び機器に関する。調整空気ジェットの素早い混合が、調整空気吹き出し口の正面にいる者のより良好な快適感を作り出す。【選択図】図３
2010540879.tif 000002
【特許請求の範囲】
【請求項１】
調整空気吹き出し口の正面にいる者のより良好な快適感のために、空調システムの外に気流を分散させてそれを筐体の周囲の空気と混合するための機器であって、
乱れた空気ジェットが、複数の空気吹き出し口（３０１，３０２）を有する少なくとも１つの矩形の空気吹き出し構造から流れ、
前記吹き出し口が、互いに相対的に位置決めされ、発散して相互作用する方向に空気流を出すような大きさとなっており、これにより、それぞれ近接する２つの空気流間に渦流、乱流、及び脈動流を形成し、
前記空気吹き出し構造が、調整空気を受け入れる矩形の空気取り入れ開口を有しており、
前記空気吹き出し口が、互いに隣接するよう配置され、前記空気取り入れ開口から外側に延びており、
前記空気吹き出し口のそれぞれが、隣接する空気吹き出し口の傾斜角とは異なる傾斜角を有するそれぞれの軸を有しており、これにより発散する方向に乱れ且つ脈動する空気流を吹き出すことを特徴とする機器。
【請求項２】
調整空気吹き出し口の正面にいる者のより良好な快適感のために、空調システムの外に気流を分散させてそれを混合するための請求項１に記載の機器において、
さらに、通る気流を冷却又は加熱するための空調システムと、
調整空気のためのブロワと、
前記ブロワに結合され、前記空気吹き出し構造の前記空気取り入れ開口に調整空気を供給する空気ダクトと、
前記空気吹き出し構造の側面の少なくとも１つの噴射ノズルに水を押圧する水システムと、
を具えることを特徴とする機器。
【請求項３】
調整空気吹き出し口の正面にいる者のより良好な快適感のために、空調システムの外に気流を分散させてそれを混合するための請求項２に記載の機器において、
前記噴射ノズルを有しないことを特徴とする機器。
【請求項４】
調整空気吹き出し口の正面にいる者のより良好な快適感のために、空調システムの外に気流を分散させてそれを混合するための請求項２に記載の機器において、
前記空気ダクトが、薄い柔軟性のあるプラスチック材料で作られた柔軟性のある気密ホースを具えることを特徴とする機器。
【請求項５】
調整空気吹き出し口の正面にいる者のより良好な快適感のために、空調システムの外に気流を分散させてそれを混合するための請求項２に記載の機器において、
前記空気ダクトが、硬質の気密チャンバを具えることを特徴とする機器。
【請求項６】
調整空気吹き出し口の正面にいる者のより良好な快適感のために、空調システムの外に気流を分散させてそれを混合するための請求項２に記載の機器において、
前記空気ダクトに結合された複数の前記空気吹き出し構造を具えており、
前記空気ダクトが、前記ブロワからそれに結合された前記複数の空気吹き出し構造の各空気取り入れ開口に調整空気を供給するために、薄い柔軟性のあるプラスチック材料で作られた柔軟性のある気密ホースを具えることを特徴とする機器。
【請求項７】
調整空気吹き出し口の正面にいる者のより良好な快適感のために、空調システムの外に気流を分散させてそれを混合するための請求項２に記載の機器において、
前記空気吹き出し口が、前記ダクトの開口に並んで取り付けられて空気吹き出し口のグリルを形成することを特徴とする機器。
【請求項８】
調整空気吹き出し口の正面にいる者のより良好な快適感のために、空調システムの外に気流を分散させてそれを混合するための機器であって、
乱れた脈動空気流を吹き出し、近接する空気流の徐々に発散する向き及び拡散作用により、それぞれ近接する２つの空気流の間に渦状の乱れた脈動を形成するための、少なくとも１つの矩形の空気吹き出し構造を具えており、
前記空気吹き出し構造が、調整空気を受け入れるための矩形の空気取り入れ開口を有し、前記空気取り入れ開口から外側に延びる複数の長手方向に配置された空気吹き出し口を含んでおり、
前記空気吹き出し口のそれぞれが、隣接する空気吹き出し口に対して徐々に端部に向けて傾斜するそれぞれの軸を有しており、
前記空気吹き出し口のそれぞれが、前記空気取り入れ開口から外側に延びるよう大きくなる断面を有することを特徴とする機器。
【請求項９】
調整空気吹き出し口の正面にいる者のより良好な快適感のために、空調システムの外に気流を分散させてそれを混合するための請求項８に記載の機器であって、
前記空気取り入れ開口を囲んで前記空気取り入れ開口を空気ダクトに結合するフランジと；
前記フランジから外側に延びる２つの長手方向の側壁と；
前記２つの長手方向の側壁の間を横方向に延びて前記複数の空気吹き出し口を規定する仕切り壁と；
を具えることを特徴とする請求項８に記載の機器。
【請求項１０】
調整空気吹き出し口の正面にいる者のより良好な快適感のために、空調システムの外に気流を分散させてそれを混合するための請求項９に記載の機器であって、
さらに、前記空気吹き出し構造の側面の少なくとも１つの噴射ノズルに水を押圧して、乱れた空気ジェットを用いて小さな水滴を散布する水システムを具えることを特徴とする請求項９に記載の機器。
【請求項１１】
調整空気吹き出し口の正面にいる者のより良好な快適感のために、空調システムの外に気流を分散させてそれを混合するための請求項９に記載の機器であって、
前記空気吹き出し口が、さらに、長手方向の側壁部の組によって規定され、
仕切り壁が、前記長手方向の側壁部の組の間を横方向に延びて、各隣接する空気吹き出し口を分けており、
各隣接する空気吹き出し口の前記長手方向の側壁部の組が、反対方向に交互に傾いており、端部方向に傾斜し且つ横方向に傾斜する空気吹き出し口を形成することを特徴とする請求項９に記載の機器。
【請求項１２】
調整空気吹き出し口の正面にいる者のより良好な快適感のために、空調システムの外に気流を分散させてそれを混合するための請求項１１に記載の機器であって、
所定の長手方向の側壁部の組のうちの一方の長手方向の側壁部の横方向の傾斜角が、前記所定の長手方向の側壁部の組のうちの他方の長手方向の側壁部の横方向の傾斜角とは異なることを特徴とする請求項１１に記載の機器。
【請求項１３】
調整空気吹き出し口の正面にいる者のより良好な快適感のために、空調システムの外に気流を分散させてそれを混合するための請求項１１に記載の機器であって、
前記空気吹き出し口が、前記ダクトの開口に並んで取り付けられて空気吹き出し口のグリルを形成することを特徴とする請求項１１に記載の機器。
【請求項１４】
調整空気吹き出し口の正面にいる者のより良好な快適感のために、空調システムの外に気流を分散させてそれを混合するための請求項１３に記載の機器であって、
前記空気吹き出し口が、前記ダクトの開口に並んで取り付けられて空気吹き出し口のグリルを形成し、結合器具として上下又は横方向のいずれかの方位角を変えることを特徴とする機器。
【請求項１５】
調整空気吹き出し口の正面にいる者のより良好な快適感のために、空調システムの外に気流を分散させてそれを混合するための請求項１乃至１４のいずれか１項に記載の機器であって、
前記空気吹き出し口が、陸上車両、船舶又は航空機といったあらゆる種類の乗物の乗物空調システムの開口に並んで取り付けられて空気吹き出し口のグリルを形成し、結合器具として上下又は横方向のいずれかの方位角を変えることを特徴とする機器。
【請求項１６】
調整空気吹き出し口の正面にいる者のより良好な快適感のために、空調システムの外に気流を分散させてそれを混合するための請求項１乃至１５のいずれか１項に記載の機器であって、
前記空気吹き出し口が、いずれかの空調システムの開口に並んで取り付けられて空気吹き出し口のグリルを形成し、上下又は横方向のいずれかの方位角を変え、正面に取り付けられたシャッタを有することを特徴とする機器。
【請求項１７】
調整空気吹き出し口の正面にいる者のより良好な快適感のために、空調システムの外に気流を分散させてそれを混合するための請求項１乃至１６のいずれか１項に記載の機器であって、
前記空気吹き出し口が、いずれかの空調システムの開口に並んで取り付けられて空気吹き出し口のグリルを形成し、上下又は横方向のいずれかの方位角を変え、背面に取り付けられたシャッタを有することを特徴とする機器。
【請求項１８】
調整空気吹き出し口の正面にいる者のより良好な快適感のために、空調システムの外に気流を分散させてそれを混合するための請求項１乃至１７のいずれか１項に記載の機器であって、
前記空気吹き出し口が、いずれかの空調システムの開口に並んで取り付けられて空気吹き出し口のグリルを形成し、上下又は横方向のいずれかの方位角を変え、
請求項９の前記側壁又は前記仕切り壁がシャッタとして使用されることを特徴とする機器。
【発明の詳細な説明】
【背景技術】
【０００１】
本発明は、空調システムの外に気流を分散させてそれを調節すべき筐体の周囲の空気と混合するための方法及び機器に関する。調節空気ジェットの素早い混合は、調節空気吹き出し口の正面の者により良い快適感を与える。空調システムからの既知の空気吹き出し口を、異なる方向に調節しさらには自動的に方向を変え得るが、体への直接的な気流は具合が悪く、体から気流を逸らすと調節されない空気の不快感をもたらす。また、筐体の容積全体の温度を変えてその容積全体を快適にするのに時間がかかる。本発明の目的は、空調システムの外に気流を分散させてそれを調節空気吹き出し口の正面に居る者の快適感のために混合するための方法及び機器を提供することである。
【発明の概要】
【０００２】
本発明は、分かれた空気ジェットが異なる方向に乱れて、それを直接的に感じずに最大の空気量の温度を変えるような方法で、空調システムの外に気流を分散させるための方法及び機器を提供する。本方法は、複数の空気吹き口（３０１，３０２）を有する少なくとも１つの矩形の空気吹きだし構造を使用するものであり、吹き出し口が、互いに相対的に位置決めされて発散して相互作用する方向に空気流を出すような大きさとなっており、これにより、それぞれ近接する２つの空気流間に渦流、乱流、及び脈動流を形成する。
【０００３】
本発明は、独立した壁掛けタイプのシステム、ダクト、パイプ又はホースに沿って又はその端部に設けられた空気吹き出し口を具えた中央システム、車内又は他の移動システムの中の小さなシステムといった、何らかのタイプの空調システムに関する。また本発明は、工場、病院及び他の必要な場所において用いられる乱れた清浄空気をクリーンルーム内に流すことに関する。
【０００４】
好適な実施例では、空気吹き出し口が、３次元の異なる方向に配置されており、徐々に傾斜する仕切りによって互いに異なる角度に分けられている。
【０００５】
別の好適な実施例では、空気吹き出し口が、３次元的に直線状に異なる方向に、徐々に傾斜する異なる方向に配置されており、それらのいくつかが、徐々に傾斜する仕切りで互いに異なる方向に空調システムの空気吹き出し口全体をカバーするよう並んで取り付けられている。
【０００６】
別の好適な実施例では、空気吹き出し口が、徐々に傾斜する仕切り及び交互に外側に傾斜する側壁部を有して、３次元的に異なる方向に配置されている。
【０００７】
別の好適な実施例では、空気吹き出し口が、３次元的に異なる方向に配置されており、徐々に傾斜する仕切り及び側壁が互いに直交する２又はそれ以上の層で構成されている。
【０００８】
別の好適な実施例では、空気吹き出し口が、３次元的に異なる方向に配置されており、徐々に傾斜する仕切りが互いに異なる角度の２又はそれ以上の層で構成されている。
【０００９】
別の好適な実施例では、空気吹き出し口が、互いに異なる角度で徐々に傾斜する仕切りによって分けられて２次元的に異なる方向に直線状に配置されている。
【００１０】
別の好適な実施例では、空気吹き出し口が、互いに異なる角度で徐々に傾斜する仕切りによって分けられる直線状の側壁に２次元的に異なる方向に配置されており、それらのいくつかが、空調システムの空気吹き出し口全体をカバーするよう並んで取り付けられている。
【００１１】
別の好適な実施例では、空気吹き出し口が、互いに異なる角度で徐々に傾斜する仕切りによって分けられて直線状に２次元的に異なる方向に配置されており、それらのいくつかが、空調システムの空気吹き出し口全体をカバーするために他のものに直交するよう並んで取り付けられている。
【００１２】
別の好適な実施例では、空気吹き出し口が、２次元的に異なる方向に配置されており、次第に傾斜する側壁の層に直交するよう次第に傾斜する仕切りの２又はそれ以上の層に配置されている。
【００１３】
別の好適な実施例では、空気吹き出し口が、２次元的に異なる方向に配置されており、互いに異なる角度の徐々に傾斜する仕切りの２又はそれ以上の層に配置されている。
【００１４】
別の好適な実施例では、空気吹き出し口が、２又は３次元的に異なる方向に配置されており、徐々に傾斜する側壁の層に対して異なる角度で、徐々に傾斜する仕切りの２又はそれ以上の層に配置されており、仕切り及び側壁の間のそれぞれ異なる角度を保持しつつ、仕切り及び側壁の各層を手で所望の方向に向けることができる。
【００１５】
別の好適な実施例では、空気吹き出し口が、２又は３次元的に異なる方向に配置されており、徐々に傾斜する側壁の層に対して異なる角度で、徐々に傾斜する仕切りの２又はそれ以上の層に配置されており、仕切り及び側壁の間のそれぞれ異なる角度を保持しつつ、仕切り及び側壁の各層を自動で所望の方向に向けることができる。
【００１６】
別の好適な実施例では、空気吹き出し口が、２又は３次元的に異なる方向に配置されており、徐々に傾斜する側壁の層に対して異なる角度で、徐々に傾斜する仕切りの２又はそれ以上の層に配置されており、各仕切りへの結合ロッド及び固定回動軸の補助によって、仕切り及び側壁の間のそれぞれ異なる角度を保持しつつ、仕切り及び側壁の各層を手で所望の方向に向けることができる。
【００１７】
別の好適な実施例では、空気吹き出し口が、２又は３次元的に異なる方向に配置されており、徐々に傾斜する側壁の層に対して異なる角度で、徐々に傾斜する仕切りの２又はそれ以上の層に配置されており、各仕切りへの結合ロッド及び固定回動軸の補助によって、仕切り及び側壁の間のそれぞれ異なる角度を保持しつつ、仕切り及び側壁の各層を自動で所望の方向に向けることができる。
【００１８】
別の好適な実施例では、徐々に傾斜する仕切り及び側壁で作られる空気吹き出し口が、異なる方向に配置されており、全体的な構成として異なる方向に可動である。
【００１９】
別の好適な実施例では、空気吹き出し口が、徐々に傾斜する仕切り及び側壁の２つの層に異なる方向に配置されており、全体的な構成として異なる方向に可動である。
【００２０】
別の好適な実施例では、徐々に傾斜する仕切り及び側壁のいずれかの構成の空気吹き出し口が、空調システムの既存のタイプの空気吹き出し口の上に取り付けられる。
【００２１】
別の好適な実施例では、徐々に傾斜する仕切り及び側壁の空気吹き出し口が、既存のグリルタイプの空調システムの上に取り付けられる。
【００２２】
別の好適な実施例では、徐々に傾斜する仕切り及び側壁のいずれかの構成の空気吹き出し口が、空調システムの既存のタイプの空気吹き出し口の上に取り付けられており、システムを停止したときに吹き出し口を閉じるよう仕切り及び／又は側壁を動作させ得る。
【００２３】
別の好適な実施例では、徐々に傾斜する仕切り及び側壁のいずれかの構成の空気吹き出し口が、空気吹き出し口の背面に空気シャッタ又はゲートを具えた空調システムの既存のタイプの空気吹き出し口の上に取り付けられている。
【００２４】
別の好適な実施例では、徐々に傾斜する仕切り及び側壁のいずれかの構成の空気吹き出し口が、空気吹き出し口の正面に空気シャッタを具えた空調システムの既存のタイプの空気吹き出し口の上に取り付けられている。
【００２５】
別の好適な実施例では、徐々に傾斜する仕切り及び側壁のいずれかの構成の空気吹き出し口が、車両、陸上車両、船舶又は航空機の調節システムの既存のタイプの空気ダクトの上に取り付けられている。
【００２６】
別の好適な実施例では、噴射ノズルが空気吹き出し口に取り付けられており、調節空気に湿度を与えるために小さな液滴を形成する。
【図面の簡単な説明】
【００２７】
【図１】図１は、独立型の空調システムの斜視図であり、当該空調システムは、各列が異なる方向に徐々に傾斜する仕切りを具えた空気吹き出し構造を有しており、側壁の各列が互いに徐々に傾斜する。
【図２】図２ａは、空気吹き出し構造の斜視図であり、互いに直交する２層の調節可能な空気案内部を具えており、各２つの案内部がロッドによって結合されているため、各２つの案内部の間の角度は、ほぼ一定である。図２ｂは、図１０ａの空気吹き出し構造の１つの層の拡大斜視図である。
【図３】図３は、空気吹き出し構造の斜視図であり、車両用として設計され、各列が様々な方向に徐々に傾斜する仕切り１０を間に具えたいくつかの徐々に傾斜する平行な側壁２０を有しており、このような構造を、様々な方向に構造を向けるための軸に取り付けることが可能であり、背面のシャッタが存在する場合には気流を遮断し得る。
【図４】図４は、分散空気吹き出し口の部分付近での二次元の速度ベクトル場であり、乱流効果を示す。
【図５】図５は、図６ａの空気吹き出し構造及び空気吹き出し構造全体の長さに沿った測定した空気速度及び空気ジェット方向のダイヤグラムを示す。
【図６】図６ａは、図６ｂのライン１ａ−１ａに沿った、分散空気吹き出し構造の長手方向の部分であり、端部に向かって徐々に傾斜する仕切りから乱流脈動空気流を吹き出す空気吹き出し口を示している。図６ｂは、分散空気吹き出し構造の側面に噴射ノズルを具えた図６ａのライン１ｂ−１ｂに沿った断面図である。
【図７】図７は、徐々に傾斜する仕切り及び交互に外側に傾斜する側壁部を有する空気吹き出し構造の平面図である。
【図８】図８は、図７のライン８−８に沿った図７に示す空気吹き出し構造の断面である。
【図９】図９は、空調システムの空気吹き出し口に一緒に取り付けられた、図７に示すような吹き出し構造の平面図である。
【図１０】図１０は、空調システムの吹き出し口に取り付けられた図９に示す発散空気吹き出し構造の図９のライン１０−１０に沿った断面である。
【図１１】図１１は、徐々に傾斜する方向及び徐々に傾斜するそれらの間の仕切り１０によって、２方向に空気を導く空気吹き出し構造の正面図である。
【図１２】図１２ａは、１つの層にいくつかの平行な側壁を具える空気吹き出し構造の斜視図であり、側壁を具えた第２の層の徐々に傾斜する仕切りが、互いに徐々に傾斜している。図１２ｂは、図１２ａの空気吹き出し構造の正面図である。図１２ｃは、図１２ａ及び１２ｂのラインＢ−Ｂにおける断面である。図１２ｄは、図１２ａ及び１２ｂのラインＡ−Ａにおける断面である。
【図１３】図１３は、空気吹き出し構造１００の断面の斜視図であり、構造１００が、徐々に傾斜する仕切り１０を具えた正面層としての及び互いに徐々に傾斜した側壁２０を具えた背面層としてのいくつかの平行な側壁２０を具えており、いずれも制御棒によって結合されている。
【図１４】図１４ａは、空気吹き出し構造の正面図であり、この構造が、側壁の正面層の徐々に傾斜した方向に及び背面層の徐々に傾斜した仕切りに乱れた空気ジェットを導く円形状となっている。図１４ｂは、図１４ａに示す発散空気吹き出し構造の断面であり、側壁の２つの層、後ろの仕切り及びそれらの後ろのシャッタを示す。
【図１５】図１５ａは、間に徐々に傾斜する仕切り１０を有するいくつかの湾曲した側壁２０を具えた空気吹き出し構造の断面であり、側壁２０の間が互いに徐々に傾斜しており、後ろにシャッタ３０を有している。図１５ｂは、間に徐々に傾斜する仕切り１０を有するいくつかの湾曲した側壁２０を具えた空気吹き出し構造の断面であり、側壁２０の間が互いに徐々に傾斜しており、後ろにシャッタ３０を有している。
【図１６】図１６は、乱れた空気ジェットの方向が異なる空気吹き出し構造の正面図であり、側壁が異なる方向に配置され、間に徐々に傾斜する仕切り１０を具えて互いに徐々に傾斜している。
【図１７】図１７ａは、図３の空気吹き出し構造の正面図である。図１７ｂは、図１７ａのラインｂ−ｂに沿った発散空気吹き出し構造の断面である。図１７ｃは、図１７ａのラインＣ−Ｃに沿った発散空気吹き出し構造の断面であり、図１７ｂの徐々に傾斜する仕切りの別の方向に向けられる徐々に傾斜する仕切りを具えている。図１７ｄは、図１７ａのラインＡ−Ａに沿った発散空気吹き出し構造の断面である。
【図１８】図１８は、独立した、壁掛け式の空調システム４０の斜視図であり、各列の様々な方向に徐々に傾斜する仕切り１０を具えた空気吹き出し構造５０を有しており、各列の側壁２０が互いに徐々に傾斜する。また、側壁２０がシャッタとして使用され使用しないときには吹き出し口５０を閉じる。
【発明を実施するための形態】
【００２８】
図１は、独立型の空調システム４０の斜視図であり、当該空調システム４０は、各列が異なる方向に徐々に傾斜する仕切りを具えた空気吹き出し構造５０を有しており、側壁の各列が互いに徐々に傾斜する。
【００２９】
図２ａは、空気吹き出し構造の斜視図であり、互いに直交する２層の調節可能な空気案内部１００ａ及び１００ｂを具えており、各２つの案内部がメイン構造に対して回動し、全体として方向を変えるようロッドによって結合されているため、各２つの案内部の間の角度は、ほぼ一定である。
【００３０】
図２ｂは、図２ａの空気吹き出し構造１００ｂの１つの層の拡大斜視図であり、調節可能な空気案内部１０がメイン構造に対して回動し、ピン１２を具えたロッド（図示せず）によって結合されて全体として方向を変え、各２つの案内部間でほぼ同じ角度を維持する。
【００３１】
図３は、空気吹き出し構造の斜視図であり、車両用として設計され、各列が様々な方向に徐々に傾斜する仕切り１０を間に具えたいくつかの徐々に傾斜する平行な側壁２０を有しており、１０ａが左に徐々に向けられ、１０ｂが右に徐々に向くように徐々に向けられ、側壁２０が下方に徐々に向けられる。このような構造を、様々な方向に構造を向けるための軸に取り付けることが可能であり、背面のシャッタが存在する場合には気流を遮断し得る。
【００３２】
図４は、分散空気吹き出し口の部分１００付近での二次元の速度ベクトル場であり、側壁１の仕切り壁２０５、２０６、２０７によって引き起こされる乱流効果を示す。矢印１４は、矢印の長さとして３次元の空気速度及び各地点での空気の移動方向を示している。空気吹き出し口１００を流れ出る空気は全ての方向に対して非常に乱れている乱流であることが明らかである。
【００３３】
図５は、図６ａの空気吹き出し構造及び空気吹き出し構造全体の長さに沿った測定した空気速度及び空気ジェット方向のダイヤグラムを示す。
【００３４】
図６ａは、図６ｂのライン１ａ−１ａに沿った、分散空気吹き出し構造の長手方向の部分であり、端部に向かって徐々に傾斜する空気吹き出し口から乱流脈動空気流を吹き出す空気吹き出し口を示している。
【００３５】
図６ｂは、分散空気吹き出し構造の側面に噴射ノズル１１を具えた図６ａのライン１ｂ−１ｂに沿った断面図である。
【００３６】
図６ａ、６ｂ及び図５は、本発明に係る空気吹き出し構造１００好適な実施例を示す。乱流脈動空気流が空気吹き出し口３０３、３０２、３０１から吹き出され、空気吹き出し口３０３、３０２、３０１は、吹き出し構造の左端部に向かって徐々に傾斜が大きくなり、吹き出し口のそれぞれが、空気取り入れ側から外に向かって断面が大きくなる。すなわち、空気吹き出し口３０１は空気吹き出し口３０２よりも左側に傾いており、さらには空気吹き出し口３０３よりも左側に傾いており、空気吹き出し口３０１の断面は、例えば、ポイント５０１及び５０２間の距離によって断面が規定される空気取り入れ側から、ポイント６０１及び６０２間の距離によって断面が規定される空気吹き出し側に向かって大きくなる。同様に、空気吹き出し口３０４、３０５、３０６は吹き出し構造１００の右端部に向かって徐々に傾斜が大きくなり、吹き出し口のそれぞれが、空気取り入れ側から外に向かって断面が大きくなる。近くの空気流の吹き出し方向及び拡散作用により、隣接する各２つの空気流の間に渦が形成され、図５で測定され記録されるように、それが流れ方向（例えば、乱流）及び流速（例えば、脈動）の実質的に連続する変化をもたらす。空気ジェットの乱れが、空気吹き出し構造の正面及び側面の周囲空気との混合効果をもたらす。
【００３７】
図６ａ及び６ｂは、２つの平行な長手方向の側壁１及びそれに対向する側壁１間に結合されたいくつかの仕切り２を有する吹き出し構造１００を示す。フランジ３が、構造の下部の空気取り入れ開口を囲んでいる。フランジ３は、以下に説明するように、空気取り入れ開口を空調システムの空気ダクト又は空気吹き出し口に結合する取り付けフランジとして機能する。他の結合手段を使用して、空気取り入れ開口を空調システムの空気ダクト又は空気吹き出し口に結合し得る。
【００３８】
図６ａ及び６ｂに示す実施例では、７つの仕切り２０１−２０７が対向する長手方向の側壁１間を延びている。仕切り２は、徐々に減少する角度ａ，ｂ，ｃ，ｄで示すように、分散空気吹き出し構造の中央の直立するプリズム状の仕切りの両面に対して構造の端部に向かって徐々に傾斜している。中央のプリズム状の仕切り壁２０４は、２つの長手方向の側壁１に対して略垂直であり、仕切り壁２０３、２０２、２０１及び２０５、２０６、２０７は、図６ａに示すように、それぞれの角度ｂ、ｃ、及びｄで徐々に端部に向かって傾斜する。図６ａに示す角度は好適には９０度よりも小さい。仕切り壁が徐々に端部に向かって傾斜する角度ｂ、ｃ、及びｄは、約１０度毎に、又はそれぞれ約１乃至２０度、６乃至３０度、及び１５乃至４５度の範囲で、減らすことができる。例えば、角度ｂ、ｃ、及びｄは、それぞれ８０、７０及び６０度とすることができる。さらなる仕切り壁が空気吹き出し構造の各端部に設けられる場合、このようなさらなる仕切り壁の傾斜角度が、さらに１０度毎、又は約２０乃至６０度の範囲で減少する。さらなる仕切り壁が設けられる場合、このようなさらなる仕切り壁の傾斜角度が、さらなる減少量によって減少する。
【００３９】
図６ａに示すように、隣接する空気吹き出し口に対して端部に向けて徐々に傾斜する各軸４０１乃至４０６をそれぞれが有する１列の空気吹き出し口が形成されている。また、各軸４０７、４０８を具えた各空気吹き出し口３０７、３０８が設けられている。各空気吹き出し口の軸は図６ａの点線で示しており、図６ａに示すように、ｅ乃至ｈで示す角度が軸の傾斜角を示している。特に、（最も外側の空気吹き出し口３０７、３０８を除く）所定の空気吹き出し口の軸が、このような空気吹き出し口を規定する各隣接する仕切り壁が中央の壁２０４に対して傾斜する角度のほぼ中程の中央の壁２０４に対するある角度で空気吹き出し口を規定する２つの長手方向の側壁間に及ぶ平面として規定される。例えば、隣接する仕切り壁２０５及び２０６によって規定される空気吹き出し口は、仕切り壁２０５及び２０６が中央の仕切り壁２０４に対してそれぞれ傾斜する角度ｂ及びｃの間のほぼ中程の角度ｆで長手方向の側壁１間に及ぶ面によって規定される軸４０５を有している。最も外側の各空気吹き出し口３０７、３０８は、その端部が開口しており、ただ１つの仕切り壁２０７及び２０１によってそれぞれ規定されることに留意されたい。このようなケースでは、このような最も外側のそれぞれの空気吹き出し口３０７、３０８の軸が、長手方向の側壁１間に及ぶ面及び約１度の間である角度ａによって規定され、最も外側の壁２０７又は２０１の角度ｄが中央部の壁２０４に対して形成される。
【００４０】
図６ａに示すように、各空気吹き出し口の断面が、吹き出し構造の上部によって規定されるように、空気取り入れ側の空気取り入れ開口から開放環境に向けて外側に延びるよう大きくなる。例えば、空気吹き出し口３０１の断面は、断面がポイント５０１及び５０２間の距離によって規定される空気取り入れ側から、断面がポイント６０１及び６０２間の距離によって規定される空気吹き出し側に向かって大きくなる。
【００４１】
また、図６ａに示すように、隣接する各空気吹き出し口を分ける仕切り壁２が、空気吹き出し構造のそれぞれの最も外側の端部に向かって徐々に距離が縮まるよう間隔を空けており、一連の隣接する空気吹き出し口の断面が、空気吹き出し構造の中央部からそのそれぞれの最も外側の端部に向かって小さくなる（例えば、最も外側の空気吹き出し口４０８及び４０７の減少した断面を参照）。
【００４２】
図６ａ、６ｂ及び図５に示すように、空気吹き出し構造に、隣接する空気吹き出し口に対して端部に向かって徐々に傾斜する各軸をそれぞれが有する空気吹き出し口を設ける代わりに、軸が端部とは反対方向に向かって傾斜し及び及び／又は傾斜角が増減する隣接する空気吹き出し口を有する空気吹き出し構造を設けることも可能である。すなわち、空気吹き出し構造のそれぞれの側の隣接する空気吹き出し口が、同じ端部方向に向けて増減する傾斜角で端部に向かって傾斜する軸を有し、及び／又は空気吹き出し構造が、軸が交互に端部方向に端部に向かって傾斜する隣接する空気吹き出し口を有する。重要な態様は、空気吹き出し構造が吹き出し方向に乱れた脈動空気流を出すことである。
【００４３】
図７は、徐々に傾斜する仕切り及び交互に外側に傾斜する側壁部を有する空気吹き出し構造の平面図である。
【００４４】
図８は、図７のライン８−８に沿った図７に示す空気吹き出し構造の断面である。
【００４５】
さらに、（図６ａ、６ｂ及び図５に示すように）２つの平行な長手方向の側壁１を具えた吹き出し構造を設ける代わりに、図７及び図８に示すように、「ジグザグ」状の側壁を形成することで、空気吹き出し口を横向きに交互に延ばし得る。図７及び図８に示す空気吹き出し構造１２０は、（図６ａのように）構造に沿って端部から互いに吹き出すのに加えて、中央ラインから左右に横方向に延びる空気吹き出し口を有している。構造は、フランジ３によって囲まれた矩形の取り入れ開口５を有しており、開口５は、徐々に端部方向に傾斜する横断部分１０２及び図８の仮想の中央ラインから左右に反対方向に交互に傾斜する長手方向の側壁部１０１及び１１１のセットである。中央ラインが図８の水平方向に延びているため、長手方向の側壁１０１、１１１のセットが、図８に示すように、交互に横方向に傾斜する。本実施例では、空気吹き出し口が端部方向及び横方向に傾斜することで、出てくる空気流の乱れ及び脈動がさらに増加する。
【００４６】
図８に示すように、それぞれの長手方向の側壁部のセットを具える長手方向の側壁部１０１及び長手方向の側壁部１１１の傾斜の横方向の角度は、異なっている。例えば、長手方向の側壁部１０１の横方向の傾斜角は、仮想の中央ラインに対して約７０度であり、長手方向の側壁部１１１の横方向の傾斜角は、仮想の中央ラインに対して約８０度である。
【００４７】
図９は、より大きな気流のためにより大きな領域を占めるために空調システムの空気吹き出し口に一緒に取り付けられた、図７に示すような吹き出し構造１２０の平面図である。
【００４８】
図１０は、空気ダクト９を具える空調システムの吹き出し口に取り付けられた発散空気吹き出し構造の図９のライン１０−１０に沿った断面である。
【００４９】
図１１は、徐々に傾斜する側壁２０の方向及び徐々に傾斜するそれらの間の仕切り１０によって、２方向に空気を導く空気吹き出し構造の正面図であり、徐々に傾斜する仕切り１０は異なる方向を向いており、それぞれの第２の列が互いに角度βを成している。乱れた空気ジェットが、図６ａに示すように流れ出る。
【００５０】
図１２ａは、１つの層にいくつかの平行な側壁を具える空気吹き出し構造の斜視図であり、側壁を具えた第２の層の徐々に傾斜する仕切りが、互いに徐々に傾斜している。
【００５１】
図１２ｂは、図１２ａの空気吹き出し構造の正面図である。
【００５２】
図１２ｃは、図８ａ及び８ｂのラインＢ−Ｂにおける断面であり、部分１０の正面層が互いに角度αで徐々に傾斜しており、後ろの側壁２０が互いに角度αで徐々に傾斜している。
【００５３】
図１２ｄは、図８ａ及び８ｂのラインＡ−Ａにおける断面であり、部分１０の正面層及び後ろの側壁２０が互いに角度βで徐々に傾斜する。
【００５４】
図１３は、空気吹き出し構造１００の断面の斜視図であり、構造１００が、徐々に傾斜する仕切り１０を具えた正面層としての及び互いに徐々に傾斜した正面層に側壁２０を具えた背面層としてのいくつかの平行な側壁２０を具えており、いずれも制御棒（図示せず）によって結合されている。
【００５５】
図１４ａは、空気吹き出し構造の正面図であり、この構造が、側壁の正面層の徐々に傾斜した方向に及び背面層の徐々に傾斜した仕切りに乱れた空気ジェットを導く円形状となっている。
【００５６】
図１４ｂは、図１４ａに示す発散空気吹き出し構造の断面であり、正面の側壁２０の２つの層、後ろの仕切り１０及びそれらの後ろのシャッタ３０を示す。それぞれの２つの閉じた側壁２０の間の角度はβである。
【００５７】
図１５ａは、間に徐々に傾斜する仕切り１０を有するいくつかの湾曲した側壁２０を具えた空気吹き出し構造の断面であり、側壁２０の間が互いに角度αで徐々に傾斜しており、後ろにシャッタ３０を有している。
【００５８】
図１５ｂは、間に徐々に傾斜する仕切り１０を有するいくつかの真っ直ぐな側壁２０を具えた空気吹き出し構造の断面であり、側壁２０の間が互いに角度βで徐々に傾斜しており、後ろにシャッタ３０を有している。
【００５９】
図１６は、乱れた空気ジェットの方向が異なる空気吹き出し構造の正面図であり、側壁２０が異なる方向に配置され、間に徐々に傾斜する仕切り１０を具えて互いに徐々に傾斜している。図１６ａは、４つの方向の乱れた空気ジェットを有している。図１６ｂは、２つの対向方向及び１つの直交方向の空気ジェットを有している。図１６ｃは、２つの直交方向の空気ジェットを有している。図１６ｄは、２つの対向方向の空気ジェットを有している。図１３ｅは、１方向の空気ジェットを有している。
【００６０】
図１７ａは、図３の空気吹き出し構造の正面図である。
【００６１】
図１７ｂは、図１７ａのラインＢ−Ｂに沿った分散空気吹き出し構造の断面である。仕切り１０ｂが、それぞれ２つの閉じた仕切り間の角度αで右に徐々に向けられる。
【００６２】
図１７ｃは、図１７ａのラインＣ−Ｃに沿った分散空気吹き出し構造の断面であり、それぞれ２つの閉じた仕切り間の角度αで左に向けられる徐々に傾斜する仕切りを具えている。
【００６３】
図１７ｄは、図１７ａのラインＡ−Ａに沿った分散空気吹き出し構造の断面である。側壁２０が、それぞれ２つの閉じた側壁間の角度βで下方に徐々に向けられる。
【００６４】
図１８は、独立した、壁掛け式の空調システム４０の斜視図であり、各列の様々な方向に徐々に傾斜する仕切り１０を具えた空気吹き出し構造５０を有しており、各列の側壁２０が互いに徐々に傾斜する。また、側壁２０がシャッタとして使用され使用しないときには吹き出し口５０を閉じる。
【図１】
2010540879.tif 000003
【図２】
2010540879.tif 000004
【図３】
2010540879.tif 000005
【図４】
2010540879.tif 000006
【図５】
2010540879.tif 000007
【図６】
2010540879.tif 000008
【図７】
2010540879.tif 000009
【図８】
2010540879.tif 000010
【図９】
2010540879.tif 000011
【図１０】
2010540879.tif 000012
【図１１】
2010540879.tif 000013
【図１２】
2010540879.tif 000014
【図１３】
2010540879.tif 000015
【図１４】
2010540879.tif 000016
【図１５】
2010540879.tif 000017
【図１６】
2010540879.tif 000018
【図１７】
2010540879.tif 000019
【図１８】
2010540879.tif 000020
【国際調査報告】
2010540879.tif 000021
2010540879.tif 000022